(57)【特許請求の範囲】
【請求項１】
回転操作を検知可能な第１検知部に接続する回転部材と、
前記第１検知部が検知する操作とは異なる操作を検知可能な第２検知部に接続し、前記
回転部材の回転中心側に配置されるノブ部材と、
前記回転部材と前記ノブ部材の間隙を覆う円環状の防水部材と、
を備え、
前記防水部材は、前記回転部材の回転軸と略平行な円環状の第１突起を有し、
前記ノブ部材は、前記回転部材の回転軸と略平行な第１溝を有し、
前記第１溝に前記第１突起が差し込まれることで、前記ノブ部材と前記防水部材とが当接して保持されることを特徴とする操作装置。
【請求項２】
請求項１に記載の操作装置であって、
前記回転部材又は前記防水部材は、前記回転部材の回転軸と略平行な円環状の第２突起を有し、
前記回転部材が前記第２突起を有する場合、前記防水部材は、前記回転部材の回転軸と略平行な円環状の第２溝を有し、
前記防水部材が前記第２突起を有する場合、前記回転部材は、当該回転部材の回転軸と略平行な円環状の第２溝を有し、
前記第２溝に前記第２突起が差し込まれることで、前記回転部材と前記防水部材とが当接して保持されることを特徴とする操作装置。
【請求項３】
請求項１又は２に記載の操作装置であって、
前記防水部材の前記第１突起の先端近傍に、径方向内側及び外側に突出する円環状の突部が設けられ、
前記ノブ部材の前記第１溝が有する内壁に前記突部が押圧されることで、前記ノブ部材と前記防水部材とが密着することを特徴とする操作装置。
【請求項４】
請求項３に記載の操作装置であって、
前記防水部材と前記ノブ部材との間に密閉空間が形成されていることを特徴とする操作装置。
【請求項５】
請求項４に記載の操作装置であって、
前記密閉空間に潤滑剤を封入することを特徴とする操作装置。
【請求項６】
請求項１から５までの何れか一項に記載の操作装置であって、
前記ノブ部材は、前記ノブ部材の中心軸から傾ける操作が可能であることを特徴とする操作装置。
【請求項７】
請求項１から５までの何れか一項に記載の操作装置であって、
前記ノブ部材は、前記ノブ部材の中心軸の方向に押し込む操作が可能であることを特徴とする操作装置。
【請求項８】
請求項１から５までの何れか一項に記載の操作装置であって、
前記ノブ部材は、前記ノブ部材の中心軸から傾ける操作と、前記回転部材の回転軸の方向に押し込む操作と、の何れも可能であることを特徴とする操作装置。
【請求項９】
請求項１から８までの何れか一項に記載の操作装置を備えることを特徴とする船舶用電子機器。
【発明の詳細な説明】
【技術分野】
【０００１】
本発明は、操作装置に関する。詳細には、例えば船舶用電子機器に適する防水機能を備えた操作装置の構成に関する。
【背景技術】
【０００２】
従来から、防水機能を備えた多機能な操作装置が知られている。特許文献１は、回転つまみと押釦つまみとを備えた複合操作装置を開示する。この特許文献１の操作装置は、ケースと、ケースの開口内に回転自在に挿入される軸支部及び軸支部中央に設けられる開口部を有する回転つまみと、軸支部に連結される回転体と、ケースを載置する取付台と、開口部内に上下動自在に設置される押釦つまみと、を具備している。開口部の部分には、軸支部よりも開口部側に張出す張出し部が設けられている。また、上記の操作装置においては、張出し部の下面と回転体の上面との間に挟持される筒状の防滴挟持部と、防滴挟持部の内側の空間を覆って押釦つまみを載置する覆い板部と、を有する弾性部材からなる防滴部材が設置されている。このことで、回転つまみの開口部と押釦つまみの間の隙間から浸入する液体が回転体側に浸入するのを防止する構成となっている。
【０００３】
また、従来から、揺動を検知するスイッチであるジョイスティックを防水するために、当該スイッチを覆うように蛇腹機構を持たせたものが知られている。
【先行技術文献】
【特許文献】
【０００４】
【特許文献１】特開２００９−２３８７０７号公報
【発明の概要】
【発明が解決しようとする課題】
【０００５】
特許文献１の操作装置においては、防滴部材は、複数（多数）の部材により保持されている。従って、回転操作を行う回転つまみと、回転操作とは異なる操作を行う操作具とを、それらの操作具の間の隙間からの浸水を防ぐことができるように備えるためには、構造が複雑になりがちな点で改善の余地があった。また、回転つまみの回転操作の際に防滴部材と複数の部品との間で摩擦が発生し、回転つまみの回転抵抗が大きくなるとともに部品が摩耗するという問題が懸念される。
【０００６】
更に、特許文献１は押釦つまみを揺動する操作を想定していないため、仮に揺動操作を可能にする構成に適用した場合には、防水性能を十分に発揮できないと考えられる。また、上記のように防水のために蛇腹を備える場合、操作装置の小型化が困難になってしまう。
【０００７】
本発明は以上の事情に鑑みてされたものであり、その目的は、小型であり防水性と操作性を備える回転操作及び回転操作以外の操作が可能な操作装置を簡単且つ安価に提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の操作装置が提供される。即ち、この操作装置は、回転部材と、ノブ部材と、円環状の防水部材と、を備える。前記回転部材は、回転操作を検知可能な第１検知部に接続する。前記ノブ部材は、前記第１検知部が検知する操作とは異なる操作を検知可能な第２検知部に接続し、前記回転部材の回転中心側に配置される。前記防水部材は、前記回転部材と前記ノブ部材の間隙を覆う。前記防水部材は、前記回転部材の回転軸と略平行な円環状の第１突起を有する。前記ノブ部材は、前記回転部材の回転軸と略平行な第１溝を有する。前記第１溝に前記第１突起が差し込まれることで、前記ノブ部材と前記防水部材とが当接して保持される。
【００１０】
これにより、ノブ部材の操作性を確保しつつ、防水部材とノブ部材の間の隙間から内部への水の浸入を防ぐことができる。その結果、簡単且つ安価な構成で、防水性を備え回転操作以外の操作が可能な多機能な操作装置を提供することができる。また、ノブ部材と防水部材とが密着するため、高い防水性を発揮しつつ簡単な構成で接続することができる。
【００１１】
前記の操作装置においては、以下の構成とすることができる。即ち、前記回転部材又は前記防水部材は、前記回転部材の回転軸と略平行な円環状の第２突起を有する。前記回転部材が前記第２突起を有する場合、前記防水部材は、前記回転部材の回転軸と略平行な円環状の第２溝を有する。前記防水部材が前記第２突起を有する場合、前記回転部材は、当該回転部材の回転軸と略平行な円環状の第２溝を有する。前記第２溝に前記第２突起が差し込まれることで、前記回転部材と前記防水部材とが当接して保持される。
【００１２】
これにより、回転部材と防水部材とが密着するため、高い防水性を発揮しつつ簡単な構成で固定することができる。
【００１５】
前記の操作装置においては、以下の構成とすることが好ましい。即ち、前記防水部材の前記第１突起の先端近傍に、径方向内側及び外側に突出する円環状の突部が設けられる。前記ノブ部材の前記第１溝が有する内壁に前記突部が押圧されることで、前記ノブ部材と前記防水部材とが密着する。
【００１６】
これにより、防水部材の突部全体でノブ部材に接続する場合と比較して、防水部材とノブ部材との接触面積が小さくなるため、回転部材を回転させたときの防水部材に対するノブ部材の回転抵抗が小さくなり、回転部材をより弱い力で回転させることができる。その結果、操作装置の操作性を向上させることができる。また、防水部材とノブ部材の当接部分において、内部への浸水を防ぎつつ防水部材とノブ部材を摺動させることができるので、防水性を維持したままノブ部材で回転操作以外の操作を行うことが容易になる。その結果、操作装置の防水性と操作性を両立させることができる。
【００１７】
前記の操作装置においては、前記防水部材と前記ノブ部材との間に密閉空間が形成されていることが好ましい。
【００１８】
これにより、例えば当該密閉空間を潤滑剤等の封入に利用することができる。また、密閉空間に潤滑剤を封入することで、ノブ部材と防水部材との摺動性を維持しつつ、操作装置の防水性を向上させることができる。
【００１９】
前記の操作装置においては、前記ノブ部材は、前記ノブ部材の中心軸から傾ける操作が可能であることが好ましい。
【００２０】
即ち、上記のようにノブ部材と防水部材とが摺動可能な構成は、ジョイスティックのように径方向外側に傾ける操作をするノブ部材を備える場合に好適である。
【００２１】
前記の操作装置においては、前記ノブ部材は、前記ノブ部材の中心軸の方向に押し込む操作が可能であることが好ましい。
【００２２】
即ち、上記のようにノブ部材と防水部材とが摺動可能な構成は、プッシュスイッチのように押し込む操作をするノブ部材を備える場合に好適である。
【００２３】
前記の操作装置においては、前記ノブ部材は、前記ノブ部材の中心軸から傾ける操作と、前記回転部材の回転軸の方向に押し込む操作と、の何れも可能であることが好ましい。
【００２４】
即ち、上記のようにノブ部材と防水部材とが摺動可能な構成は、ジョイスティックのように径方向外側に傾ける操作と、プッシュスイッチのように押し込む操作と、の両方が可能である多機能なノブ部材を備える場合に特に好適である。
【００２５】
本発明の第２の観点によれば、前記の操作装置を備える船舶用電子機器が提供される。
【００２６】
即ち、上記のようにノブ部材と防水部材とが摺動可能な構成は、防水性が要求される船舶用電子機器が備える多機能な操作装置において極めて好適である。
【図面の簡単な説明】
【００２７】
【図１】本発明の一実施形態に係る多機能型ジョイスティックの全体的な構成を示す断面斜視図。
【図２】多機能型ジョイスティックの断面図。
【図３】操作ツマミ及び操作ノブがパッキンに固定される様子を示した断面図。
【図４】パッキンの様子を示した斜視図。
【図５】変形例の多機能型ジョイスティックにおいて、操作ツマミ及び操作ノブがパッキンに固定される様子を示した断面図。
【発明を実施するための形態】
【００２８】
次に、図面を参照して本発明の実施の形態を説明する。図１は、本発明の一実施形態に係る多機能型ジョイスティック（操作装置）１の全体的な構成を示す斜視図である。図２は、多機能型ジョイスティック１の断面図である。
【００２９】
図１及び図２に示すように、多機能型ジョイスティック１は、ロータリエンコーダ（第１検知部）２と、操作ツマミ（回転部材）３と、ジョイスティック用位置センサ（第２検知部）４と、操作ノブ（ノブ部材）５と、パッキン（防水部材）６と、を備えている。
【００３０】
多機能型ジョイスティック１を備える船舶用電子機器は、電子回路基板７と、機器パネル面９と、を備える。多機能型ジョイスティック１は、平板状に形成された電子回路基板７に設置され、機器パネル面９から突出するように配置されている。機器パネル面９には円形の貫通孔が形成され、この貫通孔と多機能型ジョイスティック１の間には、防水性接続部材８が配置されている。
【００３１】
なお、本明細書では説明の便宜のために、多機能型ジョイスティック１が機器パネル面９から突出する向きを「上」と呼び、それとは反対の向きを「下」と呼ぶ場合がある。「上」は電子回路基板７から離れる方向と言い換えることができ、「下」は電子回路基板７に近づく方向と言い換えることができる。ただし、この向きの説明は、多機能型ジョイスティック１が上向きに配置されるように限定することを意図するものではなく、多機能型ジョイスティック１は船舶用電子機器に対して様々な向きで配置することができる。
【００３２】
図１及び図２に示すように、電子回路基板７には、ロータリエンコーダ２と、ジョイスティック用位置センサ４と、が設置されている。ロータリエンコーダ２は中空状に構成されており、その中心部にジョイスティック用位置センサ４が配置されている。ロータリエンコーダ２及びジョイスティック用位置センサ４は、電子回路基板７に形成された図示しない信号回路に電気的に接続されている。
【００３３】
ロータリエンコーダ２には操作ツマミ３が接続されており、このロータリエンコーダ２は、操作ツマミ３の回転軸３Ａを中心とした回転操作を検知することができる。
【００３４】
また、ジョイスティック用位置センサ４には操作ノブ５が接続されており、この操作ノブ５は、傾ける方向の操作力が加わっていない状態では、中心軸５Ａに沿うニュートラル位置とされる。なお、操作ノブ５の中心軸５Ａは、操作ツマミ３の回転軸３Ａと一致するように配置されている。
【００３５】
ジョイスティック用位置センサ４は、操作ノブ５をニュートラル位置から径方向外側（３６０度の任意の方向）に傾ける操作、及び、操作ノブ５を中心軸５Ａの方向に押し込む操作を検知することができる。なお、操作ノブ５を傾ける操作、及び、操作ノブ５を押し込む操作は、何れも、ロータリエンコーダ２が検知する操作ツマミ３の回転軸３Ａを中心とした回転操作とは異なる操作である。
【００３６】
操作ツマミ３を詳細に説明する。図２に示すように、操作ツマミ３は、プレート部３０と、外側円筒部３１と、固定リブ（突起）３２と、を備える。
【００３７】
プレート部３０は、円板状に形成されており、その中心が回転軸３Ａと一致するように、かつ、その厚み方向が回転軸３Ａと平行となるように配置されている。プレート部３０の中心には円形孔３０ａが貫通状に形成されている。図２に示すように、プレート部３０の上面の径方向中途部は、下方向に湾曲するように形成されている。
【００３８】
外側円筒部３１は、回転軸３Ａを中心とする円筒状に形成されており、プレート部３０の径方向外側端部から下方向に延びるように形成されている。外側円筒部３１は、相対的に小径でかつ薄く形成された上部と、上部よりも大径でかつ厚みがある下部と、を有しており、当該下部においてロータリエンコーダ２と接続するように構成されている。プレート部３０は、外側円筒部３１と接続する箇所から径方向外側に少し突出した鍔部３０ｂを有している。当該鍔部３０ｂの下方には、外側円筒部３１の外周に装着された円環状のゴム３ａが配置されており、これにより、ユーザが操作ツマミ３を操作する際の指の滑りを防止することができる。
【００３９】
固定リブ３２は、回転軸３Ａを中心とする円筒状に形成されており、プレート部３０の下面から回転軸３Ａと平行に下側へ延びるように形成されている。固定リブ３２は、回転軸３Ａと平行な向きで見たときに、当該回転軸３Ａを取り囲むように閉じた円環状となるように形成されている。固定リブ３２は、プレート部３０に形成された円形孔３０ａより径方向外側に、かつ、上記の外側円筒部３１より径方向内側に配置されている。
【００４０】
以上のように構成された操作ツマミ３は、回転軸３Ａを中心に、時計方向／反時計方向の何れの側にも回転させる回転操作が可能に構成されている。
【００４１】
次に、操作ノブ５を詳細に説明する。図２に示すように、操作ノブ５は、天板部５０と、接続部材５１と、を備える。
【００４２】
天板部５０は、円板状に形成されており、その中心が中心軸５Ａと一致するように、かつ、その厚み方向が中心軸５Ａと平行となるように配置されている。天板部５０の上面の中央には、湾曲状の凹部が形成されている。天板部５０の下面には、中空状の筒部５０ａが下方に突出するように一体的に形成されており、この筒部に接続部材５１を固定することができる。
【００４３】
接続部材５１は、ジョイスティック用位置センサ４と天板部５０の間に配置されており、ユーザが天板部５０に加えた操作力をジョイスティック用位置センサ４に伝達することができる。接続部材５１は、上側接続部５２と、下側接続部５３と、傘部５４と、が一体的に形成された構成となっている。
【００４４】
上側接続部５２は、円柱状に形成されており、その軸線が中心軸５Ａと一致するように配置されている。上側接続部５２は、天板部５０に形成された筒部５０ａに差し込まれることで、当該天板部５０の下面中央部分に接続することができる。
【００４５】
下側接続部５３は、円柱状に形成されており、その軸線が中心軸５Ａと一致するように配置されている。下側接続部５３の下部には、ジョイスティック用位置センサ４の可動部を回転不能に差し込むことができる差込孔が形成されている。
【００４６】
傘部５４は、上側接続部５２と下側接続部５３の境界部分から径方向外側に広がるように球殻状に形成されている。傘部５４の下面には円筒状のリブ５４ａが中心軸５Ａと平行に下方へ延びるように形成されており、このリブ５４ａの径方向内側に下側接続部５３が配置されている。そして、下側接続部５３とリブ５４ａとの間には、下側に開口した円環状の摺動溝５３ｄが形成されている。
【００４７】
操作ノブ５は、図１に示すように、中心軸５Ａから径方向外側の任意の方向に一定量傾けることができる（揺動操作）。前述したように、操作ノブ５に形成された差込孔にジョイスティック用位置センサ４の可動部が差し込まれているので、操作ノブ５が揺動する際の揺動中心は、ジョイスティック用位置センサ４の可動部の揺動中心（図２に示す中心Ｃ）と一致する。また、操作ノブ５を中心軸５Ａから径方向外側に傾けていくと、操作ノブ５の筒部５０ａが、操作ツマミ３のプレート部３０に形成された円形孔３０ａの縁に当たる。従って、操作ノブ５の揺動ストロークは、円形孔３０ａによって機械的に制限される。
【００４８】
また、操作ノブ５は、中心軸５Ａの下方向に一定量押し込むことができる（押込操作）。
【００４９】
パッキン６は、図４に示すように、平板部６０と、固定筒部６１と、摺動リブ（突起）６２と、を一体的に備えている。このパッキン６は、防水性を備えたシリコン素材により円環状に形成されている。
【００５０】
平板部６０は、円板状に形成されており、図２等に示すように、その中心が回転軸３Ａと一致するように、かつ、その厚み方向が回転軸３Ａと平行となるように配置されている。平板部６０の中心部には円形の貫通孔が形成されており、この貫通孔に、操作ノブ５の下側接続部５３等が差し込まれている。
【００５１】
固定筒部６１は、平板部６０の径方向外側の端部から回転軸３Ａと平行に上方に延びるように形成されている。固定筒部６１には、回転軸３Ａを中心とする円環状の固定溝６１ｄが形成されている。この固定溝６１ｄは上側が開口されており、当該固定溝６１ｄに、操作ツマミ３の固定リブ３２が上側から差し込まれている。
【００５２】
摺動リブ６２は、回転軸３Ａと平行な円筒状に形成されており、平板部６０の径方向内側の端部から回転軸３Ａと平行に上方に延びるように形成されている。摺動リブ６２は、回転軸３Ａと平行な向きで見たときに、当該回転軸３Ａを取り囲むように閉じた円環状となるように形成されている。この摺動リブ６２は、接続部材５１に形成される摺動溝５３ｄに差し込まれている。
【００５３】
電子回路基板７は、平板状に形成されており、ロータリエンコーダ２及びジョイスティック用位置センサ４の下側に配置されている。ロータリエンコーダ２及びジョイスティック用位置センサ４は、この電子回路基板７に形成された電子回路に適宜電気的に接続されている。
【００５４】
次に、本願発明の特徴である多機能型ジョイスティック１の操作性と防水性を実現させるための、操作ノブ５、操作ツマミ３、及びパッキン６の構成について、図３及び図４を参照しながら説明する。図３は、操作ツマミ３及び操作ノブ５がパッキン６に固定される様子を示した拡大断面図である。図４は、パッキン６の様子を示した斜視図である。
【００５５】
図３に示すように、パッキン６は、第１接続箇所Ｐ１において操作ツマミ３に接続し、第２接続箇所Ｐ２において操作ノブ５に接続されている。具体的には、第１接続箇所Ｐ１において、パッキン６の固定筒部６１に形成された固定溝６１ｄに操作ツマミ３の固定リブ３２が差し込まれ、これによりパッキン６と操作ツマミ３が互いに密着するように接続されている。また、第２接続箇所Ｐ２において、パッキン６の内周に形成された摺動リブ６２が、操作ノブ５に形成された摺動溝５３ｄに差し込まれ、これによりパッキン６と操作ノブ５が互いに密着するように接続されている。
【００５６】
まず、第１接続箇所Ｐ１において、操作ツマミ３がパッキン６に固定される様子を説明する。
【００５７】
第１接続箇所Ｐ１において、パッキン６の固定筒部６１に形成された固定溝６１ｄの幅と、操作ツマミ３の固定リブ３２の厚みは、等しくなるように形成されている（ただし、固定溝６１ｄの幅より固定リブ３２の厚みを大きくしても良い）。これにより、固定リブ３２を固定溝６１ｄに差し込むと、図３に示すように互いに広い面積で隙間なく接触して、操作ツマミ３とパッキン６とを密着させることができる。その結果、第１接続箇所Ｐ１の部分で良好な防水性を実現することができる。また、当該第１接続箇所Ｐ１において操作ツマミ３とパッキン６とが互いに強く固定され、操作ツマミ３を回転させると、操作ツマミ３とパッキン６とを一体的に回転させることができる。しかも、固定リブ３２を径方向両側から挟み込むようにして固定溝６１ｄが固定リブ３２に密着するので、より良好に防水できるとともに、互いに強く固定することができる。
【００５８】
続いて、第２接続箇所Ｐ２において、操作ノブ５がパッキン６に固定される様子を説明する。
【００５９】
第２接続箇所Ｐ２において、パッキン６の摺動リブ６２には、その先端近傍に径方向内側及び外側に突出する円環状のリップ（突部）６３が形成されている。リップ６３の突出量は、操作ノブ５に形成された摺動溝５３ｄに摺動リブ６２を差し込んだ場合に、リップ６３が摺動溝５３ｄの内壁によって押圧されて当該内壁に密着するような量となるように形成されている。この２つのリップ６３により、第２接続箇所Ｐ２の部分での防水が実現される。
【００６０】
リップ６３と摺動溝５３ｄは、第１接続箇所Ｐ１での操作ツマミ３とパッキン６との固定とは異なり、２つのリップ６３の先端部に相当する狭い面積で接触している。言い換えれば、リップ６３以外の部分では、パッキン６の径方向内側及び外側を向く面は何れも、摺動溝５３ｄの内壁に接触していない。この結果、摺動溝５３ｄの内部で２つのリップ６３の先端部を周方向に滑らせるようにして、操作ノブ５（接続部材５１）に対してパッキン６を相対回転させることができる。
【００６１】
また、パッキン６における摺動リブ６２、及び、摺動リブ６２と固定筒部６１の間の平板部６０は、弾性変形することが可能になっている。従って、操作ノブ５の揺動操作及び押込操作に追随してパッキン６が適宜変形することで、摺動溝５３ｄの内壁に対する上記リップ６３の密着状態を維持することができ、この結果、安定した防水を実現することができる。
【００６２】
また、第２接続箇所Ｐ２を上記のように構成することで、操作ノブ５とパッキン６の隙間からの浸水を防ぎつつ、操作ノブ５とパッキン６を摺動させることができる。これにより、防水性を維持したまま、操作ノブ５で回転操作以外の操作を行うことが容易になる。また、パッキン６において径方向内側に位置する摺動リブ６２にリップ６３が形成されているので、パッキン６と摺動溝５３ｄとの接触面積を小さくすることができる。従って、例えば第１接続箇所Ｐ１の部分で摺動可能とする構成と比較して、操作ツマミ３を回転させたときのパッキン６に対する操作ノブ５の回転抵抗が小さくなるので、操作ツマミ３を小さな操作力で回転させることができる。これにより、多機能型ジョイスティック１の操作性を向上させることができる。
【００６３】
また、上記のような第２接続箇所Ｐ２の構成とすることで、操作ノブ５とパッキン６との間には、オイル保持室５３ｓが形成されている。このオイル保持室５３ｓは、摺動溝５３ｄの奥の部分に円環状に形成され、２つのリップ６３によって密封されている。このオイル保持室５３ｓの内部にオイルコンパウンド等の潤滑剤を保持させておくことで、２つのリップ６３の摺動性を長期にわたって良好に維持することができる。また、オイル保持室５３ｓに上記の潤滑剤が充填されることで、リップ６３と摺動溝５３ｄの接触部分から万一浸水した場合でも水の透過を防ぐことができる。この結果、多機能型ジョイスティック１の防水性を向上させることができる。
【００６４】
以上のように、防水性を備えた材質で形成されたパッキン６は、第１接続箇所Ｐ１で操作ツマミ３に対し固定的に密着し、第２接続箇所Ｐ２で操作ノブ５に対し回転摺動可能となるように密着する。また、図２に示すように、パッキン６は第１接続箇所Ｐ１において操作ツマミ３と接触しており、第２接続箇所Ｐ２において操作ノブ５に接触しているが、それ以外の部材には接触していない。言い換えれば、パッキン６は、操作ツマミ３と操作ノブ５のみに当接し保持されており、それ以外の部材に当接していない。従って、この２つの接続により、簡単且つ安価な構成で、操作ツマミ３と操作ノブ５の間からの浸水をパッキン６により防ぎつつ、操作ツマミ３による回転操作と操作ノブ５による揺動操作及び押圧操作を行うことができる。
【００６５】
以上に説明したように、本実施形態の多機能型ジョイスティック１は、操作ツマミ３と、操作ノブ５と、パッキン６と、を備える。操作ツマミ３は、回転操作を検知可能なロータリエンコーダ２に接続する。操作ノブ５は、ロータリエンコーダ２が検知する操作とは異なる操作を検知可能なジョイスティック用位置センサ４に接続する。操作ノブ５は、操作ツマミ３の回転中心側に配置される。パッキン６は、円環状である。パッキン６は、操作ツマミ３と操作ノブ５の間隙を覆う。パッキン６は、操作ツマミ３と操作ノブ５のみに当接し保持される。
【００６６】
このように、回転操作が可能な操作ツマミ３及び回転操作とは異なる操作が可能な操作ノブ５のみに当接・保持される防水部材を備えることで、回転部材とノブ部材の操作性を確保しつつ、回転部材とノブ部材の間の隙間から内部への水の浸入を防ぐことができる。その結果、簡単且つ安価な構成で、防水性を備え回転操作及び回転操作以外の操作が可能な多機能型ジョイスティック１を提供することができる。
【００６７】
次に、上記実施形態の変形例を説明する。図５は、変形例の多機能型ジョイスティック１ｘにおいて、操作ツマミ３ｘ及び操作ノブ５がパッキン６ｘに固定される様子を示した断面図である。なお、本変形例の説明においては、前述の実施形態と同一又は類似の部材には図面に同一の符号を付し、説明を省略する場合がある。
【００６８】
図５に示す変形例の多機能型ジョイスティック１ｘでは、パッキン６ｘの外周部において、操作ツマミ３ｘには下方に突出する円筒状の固定筒部３２ｘが形成され、この固定筒部３２ｘには、下面に開口する固定溝３２ｘｄが形成されている。一方、パッキン６ｘ側には、上方に突出する円環状の固定リブ６１ｘが設けられており、この固定リブ６１ｘが固定溝３２ｘｄに差し込まれている。それ以外の構成については、上記の実施形態と同様であるため、説明を省略する。この構成によっても、第１接続箇所Ｐ１ｘにおいて、操作ツマミ３ｘとパッキン６ｘの間を密着させて固定することができる。
【００６９】
以上に本発明の好適な実施の形態を説明したが、上記の構成は例えば以下のように変更することができる。
【００７０】
上記の実施形態では、図２等に示す固定リブ３２は、操作ツマミ３の回転軸３Ａと平行な向きで見たときに円環状に構成されている。しかしながらこれに代えて、他の閉じた形状（例えば８角形等の多角形）となるように構成されても良い。図５に示す固定リブ６１ｘの形状についても同様である。
【００７１】
第１接続箇所Ｐ１において、固定リブ３２と固定溝６１ｄは、１組ではなく２組以上形成されても良い。同様に、第２接続箇所Ｐ２において、摺動リブ６２と摺動溝５３ｄは、１組ではなく２組以上形成されても良い。
【００７２】
上記の実施形態では、操作ノブ５を３６０°任意の方向に傾ける操作を検出できるように構成されているが、ジョイスティック用位置センサ４が例えば２方向、４方向、又は８方向のみの操作を検出するように構成しても良い。
【００７３】
上記の実施形態において、操作ノブ５の揺動操作及び押込操作のうち何れか一方を検知する機能を省略しても良い。即ち、ジョイスティック用位置センサ４において、操作ノブ５の押込みが不可能となるように構成しても良い。また、ジョイスティック用位置センサ４に代えて、例えばプッシュ式のスイッチが設けられても良い。
【符号の説明】
【００７４】
１  多機能型ジョイスティック（操作装置）
２  ロータリエンコーダ（第１検知部）
３  操作ツマミ（回転部材）
３Ａ  操作ツマミの回転軸
４  ジョイスティック用位置センサ（第２検知部）
５  操作ノブ（ノブ部材）
５Ａ  操作ノブの中心軸
６  パッキン（防水部材）
３２  固定リブ（回転部材の第２突起）
３２ｘｄ  固定溝（回転部材の第２溝）
５３ｄ  摺動溝（ノブ部材の第１溝）
５３ｓ  オイル保持室（密閉空間）
６１ｄ  固定溝（防水部材の第２溝）
６１ｘ  固定リブ（防水部材の第２突起）
６２  摺動リブ（防水部材の第１突起）
６３  リップ（突部）
【図１】
0006632890.tif 000002
【図２】
0006632890.tif 000003
【図３】
0006632890.tif 000004
【図４】
0006632890.tif 000005
【図５】
0006632890.tif 000006